(57)【要約】【課題】ハイレゾリューションデジタル音声信号に対するフィルタを生成するフィルタ生成装置、フィルタ生成方法、及びプログラムを提供する。【解決手段】本実施の形態にかかるフィルタ生成装置は、ハイレゾリューションデジタル音声信号に対して頭外定位処理を行うためのフィルタを生成するフィルタ生成装置であって、左右のスピーカ５Ｌ、５Ｒと、左右のマイク２Ｌ、２Ｒと、左右のスピーカ５Ｌ、５Ｒから左右のマイク２Ｌ、２Ｒまでの伝達特性に応じたフィルタを生成するフィルタ生成部３５１と、を備えている。収音信号のナイキスト周波数を超えない所定の周波数を第１の周波数（２４ｋＨｚ）とする。フィルタ生成部３５１は、フィルタの低周波数帯域ＢＨの振幅成分を収音信号の周波数振幅特性に応じて設定し、フィルタの高周波数帯域ＢＨの振幅成分を低周波数帯域ＢＬの振幅成分につなぎ合わせるように生成する。【選択図】図１
2018050222.tif 000002
【特許請求の範囲】
【請求項１】
ハイレゾリューションデジタル音声信号に対して頭外定位処理を行うためのフィルタを生成するフィルタ生成装置であって、
左右のスピーカと、
受聴者の左右の耳に装着可能であり、前記左右のスピーカから出力された測定信号を収音して、収音信号を取得する左右のマイクと、
前記収音信号に基づいて、前記左右のスピーカから前記左右のマイクまでの伝達特性に応じたフィルタを生成するフィルタ生成部と、を備え、
前記収音信号は所定のサンプリング周波数の信号であり、前記収音信号のナイキスト周波数を超えない所定の周波数を第１の周波数とし、
前記フィルタは、前記第１の周波数以下の周波数を含む低周波数帯域の振幅成分と、前記第１の周波数よりも高い周波数を含む高周波数帯域の振幅成分と、を含み、
前記フィルタ生成部は、
前記フィルタの前記低周波数帯域の振幅成分を前記伝達特性の周波数振幅特性に応じて設定し、
前記フィルタの前記高周波数帯域の振幅成分を前記低周波数帯域の振幅成分につなぎ合わせるように生成するフィルタ生成装置。
【請求項２】
前記第１の周波数における前記伝達特性の前記周波数振幅特性の振幅値に基づいて、前記フィルタの前記第１の周波数における第１の振幅値が設定されている請求項１に記載のフィルタ生成装置。
【請求項３】
前記第１の周波数における前記伝達特性の前記周波数振幅特性の振幅値を補正した値が、前記第１の振幅値として設定されている請求項２に記載のフィルタ生成装置。
【請求項４】
前記第１の振幅値に基づいて、前記フィルタの前記高周波数帯域の振幅成分が設定されている請求項２、又は３に記載のフィルタ生成装置。
【請求項５】
前記第１の周波数を超えない第２の周波数から前記第１の周波数までの範囲である第１の帯域において、前記伝達特性の前記周波数振幅特性から第２の振幅値を抽出し、
前記高周波数帯域の振幅成分が前記第２の振幅値を超えないように生成されている請求項２〜４のいずれか１項に記載のフィルタ生成装置。
【請求項６】
前記第２の振幅値が、前記第１の帯域における前記伝達特性の前記周波数振幅特性のピークに応じて抽出されている請求項５に記載のフィルタ生成装置。
【請求項７】
前記第１の帯域における前記フィルタの振幅成分が、前記第２の振幅値と前記第１の振幅値との間を補間するように算出されている請求項５又は６に記載のフィルタ生成装置。
【請求項８】
ハイレゾリューションデジタル音声信号を受聴者に向けて出力する出力部の周波数特性データに基づくシミュレーションによって、前記高周波数帯域の振幅成分が推定されている請求項１に記載のフィルタ生成装置。
【請求項９】
ハイレゾリューションデジタル音声信号に対応したハイレゾリューションマイクを前記受聴者以外の人又はダミーヘッドの左右の耳に装着して、取得されたハイレゾリューション収音信号の伝達特性の周波数振幅特性に基づいて前記高周波数帯域の振幅成分を設定している請求項１に記載のフィルタ生成装置。
【請求項１０】
前記高周波数帯域の振幅成分を前記低周波数帯域の振幅成分につなぎ合わせるように、前記高周波数帯域の振幅成分がレベル調整されている請求項８、又は９に記載のフィルタ生成装置。
【請求項１１】
前記高周波数帯域の振幅成分を前記低周波数帯域の振幅成分につなぎ合わせるように、前記高周波数帯域の低周波数側に配置された第２の帯域において、スムージング処理が行われている請求項８、又は９に記載のフィルタ生成装置。
【請求項１２】
前記高周波数帯域の振幅成分を前記低周波数帯域の振幅成分につなぎ合わせるように、前記低周波数帯域の高周波数側に配置された第３の帯域において、スムージング処理が行われている請求項８、又は９に記載のフィルタ生成装置。
【請求項１３】
前記高周波数帯域の振幅成分を前記低周波数帯域の振幅成分につなぎ合わせるように、第１の周波数を跨ぐ第４の帯域において、スムージング処理が行われている請求項８、又は９に記載のフィルタ生成装置。
【請求項１４】
フィルタを用いて頭外定位処理を行う頭外定位処理装置であって、
ハイレゾリューションデジタル音声信号である調整信号を発生する調整信号発生部と、
複数の試聴用フィルタを用いて、前記調整信号に対して頭外定位処理を行う頭外定位処理部と、
前記複数の試聴用フィルタを切り替えて行った試聴結果に基づいて、前記複数の試聴用フィルタの中から、ハイレゾリューションデジタル音声信号の再生に用いられる音楽再生用フィルタを設定する設定部と、を備え、
前記複数の試聴用フィルタは、それぞれ請求項１〜１３のいずれか１項に記載のフィルタ生成装置により生成されている頭外定位処理装置。
【請求項１５】
ハイレゾリューションデジタル音声信号に対して頭外定位処理を行うためのフィルタを生成するフィルタ生成方法であって、
左右のスピーカから測定信号を出力し、
受聴者の左右の耳に装着可能な左右のマイクを用いて、前記測定信号を収音して、収音信号を取得するステップと、を備え、
前記収音信号に基づいて、前記左右のスピーカから前記左右のマイクまでの伝達特性に応じたフィルタを生成するステップと、を備え、
前記収音信号は所定のサンプリング周波数の信号であり、前記収音信号のナイキスト周波数を超えない所定の周波数を第１の周波数とし、
前記フィルタは、前記第１の周波数以下の周波数を含む低周波数帯域の振幅成分と、前記第１の周波数よりも高い周波数を含む高周波数帯域の振幅成分と、を含み、
前記フィルタを生成するステップでは、
前記フィルタの前記低周波数帯域の振幅成分を前記伝達特性の周波数振幅特性に応じて設定し、
前記フィルタの前記高周波数帯域の振幅成分を前記低周波数帯域の振幅成分につなぎ合わせるように生成するフィルタ生成方法。
【請求項１６】
請求項１５に記載のフィルタ生成方法をコンピュータに実行させるプログラム。
【発明の詳細な説明】
【技術分野】
【０００１】
本発明は、フィルタ生成装置、フィルタ生成方法、及びプログラムに関する。
【背景技術】
【０００２】
特許文献１には、従来、頭外に音像を定位させる方法として、受聴者の頭部伝達関数ＨＲＴＦ（Head Related Transfer Function）を用いる方法が知られている（例えば、特許文献１参照）。ヘッドホン又はイヤホンを用いる場合、仮想音源から受聴者の両耳までの頭部伝達関数と、外耳道伝達関数ＥＣＴＦ（Ear Canal Transfer function）との逆特性を再生信号に畳み込んでいる。こうすることで、ヘッドホン又はイヤホンの特性をキャンセルして、耳の近傍から音が出ているにもかかわらず、仮想音源方向から音が聞こえているかのように音場を再生することができる。受聴者の外耳道内に測定マイクを挿入、又はダミーヘッドで代用することで、外耳道伝達関数ＥＣＴＦの測定が行われる。
【先行技術文献】
【特許文献】
【０００３】
【特許文献１】特開２００２−２０９３００号公報
【発明の概要】
【発明が解決しようとする課題】
【０００４】
しかしながら、理想的な音像定位は外耳道が開放された状態であるのに対し、実際の測定ではヘッドホンあるいはイヤホンを装着した状態で測定するため外耳道は閉塞された状態となる。その結果、外耳道内で共鳴が発生し、特定の周波数にピークあるいはディップが発生する。外耳道伝達関数の逆特性（外耳道補正関数ともいう）を再生信号に畳み込んだ結果、聴感上の音質が悪化する場合がある。また頭部伝達関数を用いたスピーカによる立体音場再生においても、測定空間の反射等の影響によって共鳴が発生することがあり音質の劣化を招く。共鳴により発生したピークあるいはディップ部分を再生信号の波形から検出することは難しい。したがって、適切に音場を再生することができないおそれがある。
【０００５】
本発明は上記の点に鑑みなされたもので、ハイレゾリューションデジタル音声信号に対するフィルタを生成するフィルタ生成装置、フィルタ生成方法、及びプログラムを提供することを目的とする。
【課題を解決するための手段】
【０００６】
本発明の一態様にかかるフィルタ生成装置は、ハイレゾリューションデジタル音声信号に対して頭外定位処理を行うためのフィルタを生成するフィルタ生成装置であって、左右のスピーカと、受聴者の左右の耳に装着可能であり、前記左右のスピーカから出力された測定信号を収音して、収音信号を取得する左右のマイクと、前記収音信号に基づいて、前記左右のスピーカから前記左右のマイクまでの伝達特性に応じたフィルタを生成するフィルタ生成部と、を備え、前記収音信号は所定のサンプリング周波数の信号であり、前記収音信号のナイキスト周波数を超えない所定の周波数を第１の周波数とし、前記伝達特性は、前記第１の周波数以下の周波数を含む低周波数帯域の振幅成分と、前記第１の周波数よりも高い周波数を含む高周波数帯域の振幅成分と、を含み、前記フィルタ生成部は、前記フィルタの前記低周波数帯域の振幅成分を前記収音信号の周波数振幅特性に応じて設定し、前記フィルタの前記高周波数帯域の振幅成分を前記低周波数帯域の振幅成分につなぎ合わせるように生成するものである。
【０００７】
本発明の一態様にかかるフィルタ生成方法は、ハイレゾリューションデジタル音声信号に対して頭外定位処理を行うためのフィルタを生成するフィルタ生成方法であって、左右のスピーカから測定信号を出力し、受聴者の左右の耳に装着可能な左右のマイクを用いて、前記測定信号を収音して、収音信号を取得するステップと、を備え、前記収音信号に基づいて、前記左右のスピーカから前記左右のマイクまでの伝達特性に応じたフィルタを生成するステップと、を備え、前記収音信号は所定のサンプリング周波数の信号であり、前記収音信号のナイキスト周波数を超えない所定の周波数を第１の周波数とし、前記伝達特性は、前記第１の周波数以下の周波数を含む低周波数帯域の振幅成分と、前記第１の周波数よりも高い周波数を含む高周波数帯域の振幅成分と、を含み、前記フィルタを生成するステップでは、前記フィルタの前記低周波数帯域の振幅成分を前記収音信号の周波数振幅特性に応じて設定し、前記フィルタの前記高周波数帯域の振幅成分を前記低周波数帯域の振幅成分につなぎ合わせるように生成するものである。
【０００８】
本発明の一態様にかかるフィルタ生成方法は、上記のフィルタ生成方法をコンピュータに実行させるプログラム。
【発明の効果】
【０００９】
本発明によれば、ハイレゾリューションデジタル音声信号に対するフィルタを生成するフィルタ生成装置、フィルタ生成方法、プログラムを提供できる。
【図面の簡単な説明】
【００１０】
【図１】本実施の形態１に係る音場再生装置を示すブロック図である。
【図２】等感曲線を示す図である。
【図３】実施の形態１に係る音場再生方法を示すフローチャートである。
【図４】スイープ動作、及び周波数特性の変化を説明するための図である。
【図５】スイープ動作、及び周波数特性の変化を説明するための図である。
【図６】スイープ動作、及び周波数特性の変化を説明するための図である。
【図７】スイープ動作、及び周波数特性の変化を説明するための図である。
【図８】本実施の形態２に係る音場再生装置を示すブロック図である。
【図９】実施の形態３における頭外定位処理装置を示すブロック図である。
【図１０】実施の形態３において、伝達特性に応じたフィルタを生成するフィルタ生成装置の構成を示す図である。
【図１１】周波数領域における伝達特性Ｈｌｓを示す図である。
【図１２】ＨＲ信号対応のスピーカの周波数特性を示す図である。
【図１３】シミュレーションによりも求めた伝達特性Ｈｌｓを示す図である。
【図１４】高周波数帯域の成分をレベル調整する処理を説明するための図である。
【図１５】振幅値をスムージングする処理を説明するための図である。
【図１６】実施の形態３において、聴感テストを行う頭外定位処理装置を示すブロック図である。
【図１７】実施の形態４にかかる頭外定位処理装置を示すブロック図である。
【図１８】ＨＰＦとＬＰＦの周波数特性を示す図である。
【図１９】変形例３にかかる頭外定位処理装置を示すブロック図である。
【発明を実施するための形態】
【００１１】
本実施の形態にかかる音場再生装置の概要について説明する。
本実施形態にかかる音場再生装置は、個人の頭部伝達特性（頭部伝達関数ともいう）あるいは外耳道伝達特性（外耳道伝達関数ともいう）を測定し、その特性を用いて頭外定位等の音場再生を実現するものである。具体的には、音場再生装置において、伝達特性測定時に空間の反射の影響や外耳道が閉塞されていることに起因して発生する共鳴の影響を排除して、音質劣化を改善する。
【００１２】
本実施形態では、スピーカから聴取者の耳までの頭部伝達特性、もしくはヘッドホンやイヤホンを装着した状態での外耳道伝達特性を用いて頭外定位等の音場処理を実現している。頭部伝達特性又は外耳道伝達特性等の空間伝達特性においては測定空間での反射等の影響により、共鳴が発生し、高域にピークあるいはディップが発生することがある。また、外耳道伝達特性の測定においても、外耳道が閉塞された状態で測定することにより共鳴が発生し、高域にピークあるいはディップが発生することがある。これは個人によって差がある個人特性であり、聴取者にしか知覚できないもので、自動的に補正することは困難である。
【００１３】
そこで、周波数が徐々に変化する周波数スイープ信号(スイープ信号)が用いられる。受聴者が周波数スイープ信号を聴きながら、音量が大きく変わったと感じた部分でボタンなどを操作する。このようにすることで、ピーク、ディップの位置（周波数）を特定することができる。ピーク又はディップの周波数を中心にノッチフィルタ又はピーキングフィルタ等のフィルタをかける。こうすることによって、不要な共鳴を除去しフラットな周波数特性に補正することが可能となる。
【００１４】
上記の操作によりピーク、ディップの位置（周波数）を特定した後、その周辺の周波数を繰り返しスイープさせるようにしてもよい。そして、音量が一定に聴こえるようにフィルタのピークレベルを受聴者が調整することにより、さらに細かい補正が可能となる。
【００１５】
突発的な音量の変化を防ぐため、頭外定位処理においてＡＧＣ（自動ゲイン制御）をかけることが好ましい。
【００１６】
実施の形態１．
本実施の形態にかかる音場再生装置１００を図１に示す。図１は、音場再生装置１００のブロック図である。音場再生装置１００は、ヘッドホン１９を装着する受聴者Ｕに対して音場を再生する。そのため、音場再生装置１００は、スイープ信号発生部１１と、音楽信号再生部１２と、頭外定位処理部１３と、ＡＧＣ（Auto Gain Control）処理部１４と、可変フィルタ部(フィルタ部)１５と、フィルタ係数算出部１６と、設定記憶部１７と、入力部１８と、ヘッドホン(出力部)１９とを備えている。なお、ＡＧＣ処理部１４は、省略することが可能である。また、ＡＧＣ処理部１４は、スイープ信号再生時または音楽信号再生時のみＡＧＣ処理を実施することが可能である。
【００１７】
また、本実施の形態にかかる音場再生装置１００は、パーソナルコンピュータなどの情報処理装置であり、プロセッサ等の処理手段、メモリやハードディスクなどの記憶手段、有機ＥＬディスプレイやプラズマディスプレイなどの液晶モニタ等の表示手段、タッチパネル、ボタン、キーボード、マウスなどの入力手段、スピーカやヘッドホンに接続される出力手段を備えている。あるいは、音場再生装置１００は、スマートホンやタブレットＰＣであってもよい。また、音場再生装置１００は、出力手段であるスピーカやヘッドホンなどにプロセッサ等の処理手段、メモリなどの記憶手段を内蔵させ、このヘッドホンなどに、液晶モニタ等の表示手段と、タッチパネルなどの入力手段とを接続できる構成としてもよい。
【００１８】
スイープ信号発生部１１は、周波数が変化する周波数スイープ信号を発生する。スイープ信号発生部１１は、予め設定されたスイープ範囲を徐々にスイープする正弦波を周波数スイープ信号として出力する。周波数スイープ信号は、例えば、純音であり、中心周波数が徐々に変わっていく信号である。スイープ信号発生部１１は、周波数スイープ信号を頭外定位処理部１３に出力する。周波数スイープ信号は、後述する処理が施されて、ヘッドホン１９から出力される。周波数スイープ信号は一定の速度で周波数が高くなっていく。また、周波数スイープ信号は連続的に周波数が高くなっていってもよく、段階的に周波数が高くなっていてもよい。あるいは、徐々に周波数が低くなっていってもよい。周波数スイープ信号は、ステレオ信号であってもよい。
【００１９】
音楽信号再生部１２は、メモリ、ディスクに予め記録された音楽信号を再生する。音場再生装置１００の内部に音楽信号再生部１２は持たず、外部音源からの音楽信号を頭外定位処理部１３に入力する形でもよい。例えば、音楽信号は、外部のＣＤプレーヤ等から出力されるステレオ信号であってもよい。音楽信号は、後述するフィルタ処理が施されてから、最終的にヘッドホン１９から出力される。音楽信号は、例えば、楽器や肉声による演奏をデジタル化したステレオの再生信号であり、ヘッドホン１９の左右のユニットから出力される。なお、音楽信号は、楽器や肉声による演奏をデジタル化した信号だけではなく、会話、動物の鳴き声、さざ波など人間が聴覚によって聴こえる音をデジタル化した信号であればよい。
【００２０】
なお、音楽再生時には、音楽信号再生部１２が音楽信号を頭外定位処理部１３に出力し、スイープ信号発生部１１が周波数スイープ信号を発生させない。一方、音質調整のためのフィルタ係数の測定時には、スイープ信号発生部１１が周波数スイープ信号を頭外定位処理部１３に出力し、音楽信号再生部１２が音楽信号を再生しない。すなわち、周波数スイープ信号をヘッドホン１９から出力して、外耳道形状等の個人特性に起因する共鳴を排除するための測定を行う。このように、頭外定位処理部１３には、音楽信号又は周波数スイープ信号の一方が入力される。以下、フィルタ係数を測定するため、周波数スイープ信号を出力する処理を中心に説明する。
【００２１】
頭外定位処理部１３は、外耳道伝達特性を用いて、周波数スイープ信号に対して畳み込み処理を行う。具体的には、予め測定された外耳道伝達特性の逆特性（外耳道補正関数ともいう）が周波数スイープ信号に畳み込まれる。頭外定位処理部１３は畳み込み処理が行われた周波数スイープ信号をＡＧＣ処理部１４に出力する。また、後述するように、頭外定位処理部１３は、音楽信号に対して外耳道伝達特性の逆特性を畳み込む。
【００２２】
ＡＧＣ処理部１４は、周波数スイープ信号の音の聴覚的な強さを表す信号レベル(ラウンドネスレベル)を一定に保つ処理を行う。ここで、周波数が高い音と周波数が低い音は同じ音圧であっても、人間の聴覚が感じる音の聴覚的な強さに違いが生じる。この特性を表した等感曲線（ラウドネスカーブ）を図２に示す。この図２の横軸は周波数（Ｈｚ）、縦軸は音圧レベル（ｄＢ）である。各曲線は音の聴覚的な強さを表した信号レベルごとの周波数と音圧レベルとの関係を示している。例えば、音の聴覚的な強さを６０ｐｈｏｎで一定に保ちたい場合には、周波数に応じて、音圧レベルを変動させる必要があることがこの図から把握できる。したがって、周波数スイープ信号に対して頭外定位処理を行う際にＡＧＣ処理部１４が等感曲線に応じてゲインを調整する。ＡＧＣ処理部１４におけるゲインは音量つまり音圧レベル、又は周波数に応じて変化する。ＡＧＣ処理部１４がＡＧＣ（自動ゲインコントロール）処理を行うことによって、周波数スイープ信号が一定の信号レベルになるようにゲインが調整される。これにより、受聴者Ｕは音の周波数の高低に関わらず、一定の信号レベルで音を聴くことができる。ＡＧＣ処理部１４にてＡＧＣ処理された周波数スイープ信号は、可変フィルタ部１５に出力される。
【００２３】
可変フィルタ部１５は、フィルタ係数算出部１６によって算出されたフィルタ係数を読み出して、ノッチフィルタ、及びピーキングフィルタなどのフィルタをセットする。可変フィルタ部１５は、セットされたフィルタを用いて、周波数スイープ信号に対してフィルタ処理を行う。なお、初期状態において、フィルタ係数算出部１６には、フラットな特性のフィルタが設定されている。したがって、ＡＧＣ処理部１４からの周波数スイープ信号がそのままヘッドホン１９に出力される。
【００２４】
ここでは、可変フィルタ部１５は周波数スイープ信号をそのままヘッドホン１９に出力する。ヘッドホン１９は、受聴者Ｕに向けて周波数スイープ信号を出力する。ヘッドホン１９は、ステレオヘッドホンであり、受聴者Ｕの左右の耳に対してそれぞれ周波数スイープ信号を出力する。受聴者Ｕは、ヘッドホン１９から出力される周波数スイープ信号を受聴する。
【００２５】
受聴者Ｕは、頭外定位処理された周波数スイープ信号を聴きながら、音量が急激に変化するか否かを確認する。スイープする周波数の範囲はあらかじめ設定されている。外耳道伝達関数の測定においては高域に共鳴が発生するため、周波数スイープ信号をスイープするスイープ範囲は、８ｋＨｚ〜２０ｋＨｚとされている。もちろん、スイープ範囲は、８〜２０ｋＨｚに限られるものではない。例えば、スイープ範囲を５ｋＨｚ〜２０ｋＨｚとしてもよい。また、スイープ範囲については、測定環境等によってピーク／ディップが発生しやすい周波数が異なるため、測定環境毎に任意に設定するのが望ましい。もちろん、ヘッドホン１９の再生周波数領域全てをスイープ範囲としてもよい。またスイープ範囲を受聴者Ｕが指定してもよい。
【００２６】
受聴者Ｕが周波数スイープ信号を受聴中に、音量が急激に変化した場合、入力部１８を操作する。入力部１８は、例えば、タッチパネル、キーボード、マウス、押しボタン、レバー、又はダイヤルなどの入力デバイスを備えている。例えば、受聴者Ｕは、周波数スイープ信号を聴きながら音量の急激な変化を確認したら、入力部１８に設けられている周波数決定ボタンを押す。すると、入力部１８は、受聴者Ｕによるボタン操作を受け付け、操作に応じた信号を設定記憶部１７に出力する。
【００２７】
設定記憶部１７には、スイープ信号発生部１１から現在スイープ中の周波数が入力されている。設定記憶部１７は、メモリ等を備えており、周波数決定ボタンが押された時点での周波数スイープ信号の周波数を記憶する。すなわち、設定記憶部１７は、音量が急激に変化した周波数を記憶する。例えば、設定記憶部１７は、急激に音量が低下した周波数をノッチ周波数として記憶する。あるいは、設定記憶部１７は、音量が急激に上昇した周波数をピーク周波数として記憶する。ヘッドホン１９から出力される周波数スイープ信号を受聴する受聴者Ｕからの操作に応じて、設定記憶部１７は、周波数スイープ信号の音量が変化する周波数を記憶する。
【００２８】
そして、設定記憶部１７は、記憶した周波数をスイープ信号発生部１１に出力する。すると、スイープ信号発生部１１は、入力された周波数を中心にその近傍をゆっくりとスイープする周波数スイープ信号を発生させる。すなわち、スイープ信号発生部１１は、ノッチ周波数、又はピーク周波数の近傍において、周波数スイープ信号の周波数をゆっくりと変化させる。受聴者Ｕは、その周波数スイープ信号を受聴する。そして、音量が一定となるように入力部１８を操作する。
【００２９】
例えば、入力部１８には、音量を調整するためのレバーやダイヤルなどを備えている。受聴者Ｕが入力部１８を操作することで、ヘッドホン１９から出力される音の音量を調整することができる。受聴者Ｕが調整した音量を設定記憶部１７が記憶する。設定記憶部１７に記憶された周波数の近傍において周波数をスイープさせたときに、入力部１８は、受聴者Ｕによる音量調整の操作を受け付ける。
【００３０】
設定記憶部１７は、音量を周波数と対応付けて記憶する。すなわち、ピーク又はディップの周波数と、その周波数において調整された音量が対応付けられる。フィルタ係数算出部１６は、設定記憶部１７に記憶されている周波数と音量に基づいて、フィルタ係数を算出する。フィルタ係数算出部１６は、既に決定された周波数と音量を用いてフィルタ係数をリアルタイムで算出する。
【００３１】
フィルタ係数算出部１６でリアルタイムに算出されたフィルタ係数は、可変フィルタ部１５にセットされる。これにより、初期状態ではフラットな特性であった可変フィルタの特性が変化する。フィルタ係数算出部１６は、頭外定位処理された周波数スイープ信号にフィルタ係数をかける。このようにすることで、頭外定位処理された周波数スイープ信号のピークレベルが変動する。
【００３２】
そして、受聴者Ｕは、音量操作によって周波数スイープ信号が聴感的に一定レベルになったと判断した時点で、入力部１８を操作する。例えば、受聴者Ｕが、一定レベルになると、調整完了ボタンを押す。こうすることで、音量が一定になるピークレベルが決定される。設定記憶部１７は、調整完了ボタンが押された時点での、フィルタ係数、及び音量をレベル情報として記憶する。フィルタ係数算出部１６はレベル情報に応じて、最終的なフィルタ係数を算出する。設定記憶部１７に記憶された周波数の近傍において音量が一定となるように音量調整された時のレベル情報に基づいて、フィルタ係数算出部１６は、フィルタ係数を算出する。
【００３３】
周波数とレベル情報から算出された最終的なフィルタ係数が可変フィルタ部１５にセットされる。このようにして、個人特性による共鳴を排除するための測定が完了する。測定が完了したら、頭外定位処理部１３への入力がスイープ信号から音楽信号へ切り替わる。こうすることにより、通常の音楽再生モードとなり、音楽信号を用いた音場再生が可能になる。すなわち、音楽信号に対して、頭外定位処理部１３における頭外定位処理、可変フィルタ部１５におけるフィルタ処理が行われる。
【００３４】
頭外定位処理部１３は、外耳道補正関数を用いて、音楽信号に畳み込みを行う。畳み込み処理された音楽信号に対して、可変フィルタ部１５は、前述の周波数スイープ信号を用いて設定されたフィルタ係数によりフィルタ処理を行い、ヘッドホン１９に出力する。なお、音楽再生時はＡＧＣ処理部１４におけるＡＧＣ処理は行われない。また、周波数スイープ信号を用いた測定時において、頭外定位処理部１３が周波数スイープ信号について畳み込み処理を行わなくてもよい。
【００３５】
このように、周波数スイープ信号を受聴者Ｕに受聴させて、ピーク周波数、又はディップ周波数を特定する。こうすることで、受聴者Ｕの個人特性に応じた共鳴を排除することができる。さらに、測定環境等によって生じるピーク又はディップを補正するためのフィルタ係数が設定されている。したがって、適切に音場を再生することができる。
【００３６】
次に、図３〜図７を参照して、本実施の形態にかかる音場再生方法での音質調整について説明する。図３は、音場再生方法での音質調整を示すフローチャートである。図４〜図７は、調整動作における周波数特性の変化を示すグラフである。図４〜図７において横軸は、周波数、縦軸は、受聴者Ｕによって受聴される音量である。
【００３７】
測定が開始されると、ピーク及びディップの中心周波数を調べるため、周波数スイープ信号の周波数をスイープする（Ｓ１）。ここでは、スイープ信号発生部１１が、図４に示すように８ｋＨｚ〜２０ｋＨｚまでのスイープ範囲をスイープする。ここでは、受聴者Ｕが受聴することができる受聴範囲の高域側だけがスイープされる。受聴者Ｕは、周波数スイープ信号を聴きながら、急激な音量差を感じるか否かを判定する（Ｓ２）。すなわち、一定レベルで出力されている周波数スイープ信号において、受聴者Ｕが音量差を感じるか否かを判定する。急激な音量差を感じない場合（Ｓ２のＮＯ）、引き続き周波数をスイープする。
【００３８】
急激な音量差を感じた場合（Ｓ２のＹＥＳ）、受聴者Ｕは、入力部１８の周波数決定ボタンを押下する（Ｓ３）。すなわち、音量が最大又は最小となるタイミングで受聴者Ｕは周波数決定ボタンを押す。すると、周波数決定ボタンが押下された時点での周波数を設定記憶部１７が記憶する（Ｓ４）。図５に示すように、周波数決定ボタンが押された時点の周波数がピーク又はディップの中心周波数として決定される。
【００３９】
次に、記憶した周波数前後の繰り返しゆっくりとスイープする（Ｓ５）。すなわち、図６に示すように、記憶された周波数の近傍をレベル調整範囲とする。中心周波数を含むレベル調整範囲をスイープする周波数スイープ信号をスイープ信号発生部１１が出力する。なお、レベル調整範囲におけるスイープ速度は、Ｓ１におけるスイープ速度よりも遅くなっている。すなわち、スイープ信号発生部１１は、スイープ範囲でのスイープよりもゆっくりとレベル調整範囲をスイープする。このように、８〜２０ｋＨｚのスイープ範囲の一部を抽出してレベル調整範囲として、ゆっくりとスイープする。
【００４０】
そして、レベル調整範囲をゆっくりとスイープしている間、受聴者Ｕが音量を操作する（Ｓ６）。ディップがある周波数では、受聴者Ｕに聞こえる音量が小さくなる。したがって、受聴者Ｕは、図６に示すように、聴こえる音量が一定になるように音量を上げていく。反対に、周波数特性にピークがある場合、音量を一定とするため、受聴者Ｕは中心周波数での音量を下げる。受聴者Ｕは、周波数スイープ信号を聴きながら、音量レベルを調整する。こうすることで、中心周波数において、受聴者Ｕが受聴する音量を調整することができる。
【００４１】
設定記憶部１７が操作された音量を記憶し、記憶された音量と周波数に基づいてフィルタ係数算出部１６がフィルタ係数を算出する（Ｓ７）。リアルタイムで算出されたフィルタ係数が、可変フィルタ部１５にセットされる（Ｓ８）。このようにすることで、フィルタの特性が変化する。すなわち、ピーク周波数、又はノッチ周波数におけるフィルタ係数が変化する。そして、可変フィルタ部１５は、周波数スイープ信号にフィルタ処理を行い、ヘッドホン１９に出力する。すなわち、可変フィルタ部１５は、フィルタ係数が乗じられた周波数スイープ信号をヘッドホン１９に出力する。
【００４２】
ヘッドホン１９は、フィルタ処理された周波数スイープ信号を受聴者Ｕに向けて出力する。受聴者Ｕは、ヘッドホン１９から出力される周波数スイープ信号が一定のレベルに聞こえるか否かを判定する（Ｓ９）。すなわち、図６に示すレベル調整範囲においてスイープした場合に、周波数によらず音量が一定になるか否かを受聴者Ｕが判定する。
【００４３】
周波数スイープ信号が一定のレベルで聴こえないと判定された場合（Ｓ９のＮＯ）、ステップＳ５からの処理を一定レベルで聴こえるようになるまで繰り返す。すなわち、受聴者がレベル調整範囲におけるスイープ信号を聴きながら、音量を調整する。したがって、図７に示すように、周波数スイープ信号が一定のレベルで聴こえるまで、Ｓ５からＳ９の処理が繰り返される。周波数スイープ信号が一定のレベルで聴こえたと判定された場合（Ｓ９のＹＥＳ）、受聴者Ｕが調整完了ボタンを押す。これにより、調整完了ボタンが押された時の音量、及びフィルタ係数を設定記憶部１７がレベル情報として記憶する（Ｓ１０）。このようにすることで、図７に示すように、周波数によらず、ほぼ一定の音量で聴こえるようになる。
【００４４】
図７に示すように、音量が一定になったら、中心周波数とレベル情報から最終的なフィルタの係数をフィルタ係数算出部１６が算出する（Ｓ１１）。すなわち、レベル調整範囲において音量が一定になった時の音量に応じたレベル情報を周波数と対応付けて、設定記憶部１７が記憶する。そして、フィルタ係数算出部１６が、設定記憶部１７に記憶された周波数とレベル情報とに基づいて、その周波数におけるフィルタ係数を算出する。その後、最終的なフィルタ係数が可変フィルタ部１５にセットされる（Ｓ１２）。このようにして、フィルタ係数の測定が終了する。
【００４５】
音楽再生時には、最終的なフィルタ係数が可変フィルタ部１５にセットされる。音楽信号を再生する場合、頭外定位処理部１３が音楽信号に頭外定位処理を施した後、可変フィルタ部１５が音楽信号に対してフィルタ処理を行う。すなわち、可変フィルタ部１５にセットされたフィルタに含まれるフィルタ係数が、音楽信号に乗じられる。そして、ヘッドホン１９が、フィルタ処理された音楽信号を受聴者Ｕに向けて出力する。すなわち、頭外定位処理、及びフィルタ処理された音楽信号をヘッドホン１９が受聴者Ｕに出力することで、音場が再生される。
【００４６】
このように、スイープ信号を用いた測定により、フィルタ係数を求める。そして求められたフィルタ係数を含むフィルタでフィルタ処理することで、外耳道形状の個人特性の起因する共鳴を排除することができる。よって、頭外定位処理された音楽信号を適切に補正することができる。したがって、ヘッドホン１９を用いた場合でも、適切に音場を再生することができる。なお、上記の説明ではヘッドホン１９を用いた音場再生装置を示したが、イヤホンを用いた音場再生装置についても同様に処理することができる。
【００４７】
なお、上記の説明は、周波数特性にディップがある場合について説明したが、ピークがある場合についても同様に音質を調整することができる。すなわち、ピーク周波数における音量を下げるように、Ｓ６において音量を下げればよい。これにより、ピーク周波数における音量が小さくなるように、音質を調整することができる。
【００４８】
また、ピーク周波数及びディップ周波数が２以上ある場合も、それぞれの周波数について音量を調整すればよい。すなわち、スイープ範囲に含まれるピーク、及びディップのそれぞれについて、音量調整を行う。そして、音量調整が行われた時のレベル情報と、それに対応する周波数に応じてフィルタ係数算出部１６がフィルタ係数を求めている。こうすることで、適切なフィルタを設定することができるため、適切に音場を再生することができる。また、ノッチフィルタ又はピーキングフィルタの幅を調整するようにしてもよい。
【００４９】
表示部に提示されている周波数を表示すると受聴者Ｕにもわかりやすくなる。周波数スイープ信号発生部１１が周波数をスイープする速度も、受聴者に調整させるようにしてもよい。
【００５０】
実施の形態２．
本実施の形態にかかる音場再生装置について、図８を用いて説明する。図８は、実施の形態２に係る音場再生装置２００を示すブロック図である。本実施の形態では、ヘッドホン１９ではなく、スピーカ２９を用いて音場を再生している。すなわち、ヘッドホン１９の代わりに、スピーカ２９が用いられている。
【００５１】
スピーカ２９はステレオスピーカやサラウンドスピーカ等の複数チャンネルを有するスピーカである。さらに、本実施の形態では、実施の形態１の頭外定位処理部１３の代わりに、疑似サラウンド処理部２３が設けられている。なお、疑似サラウンド処理部２３以外の構成については、実施の形態１と同様であるため説明を省略する。
【００５２】
スイープ信号発生部２１で発生させたスイープ信号及び音楽信号再生部２２で再生させた音楽信号は、疑似サラウンド処理部２３に入力される。疑似サラウンド処理部２３には、予め測定された頭部伝達特性（頭部伝達関数ともいう）がセットされている。疑似サラウンド処理部２３は頭部伝達特性（頭部伝達関数ともいう）の畳み込み処理を行う。疑似サラウンド処理部２３は、畳み込み処理が行われた周波数スイープ信号を、ＡＧＣ処理部２４に出力する。ＡＧＣ処理部２４、可変フィルタ部２５、フィルタ係数算出部２６、設定記憶部２７、入力部２８における処理は実施の形態１のＡＧＣ処理部１４、可変フィルタ部１５、フィルタ係数算出部１６、設定記憶部１７、入力部１８と同様である。したがって、実施の形態１と同様に、ノッチ又はピークの周波数が決定され、フィルタ係数算出部２６がフィルタ係数を算出する。
【００５３】
そして、算出されたフィルタ係数を有するフィルタが可変フィルタ部２５にセットされる。スピーカ２９は、フィルタ係数が乗じられた周波数スイープ信号を受聴者Ｕに向けて出力する。受聴者は、スピーカ２９から出力される周波数スイープ信号を聴きながら、実施の形態１と同様に音量を調整する。最終的なフィルタ係数が算出されると、疑似サラウンド処理部２３への入力を周波数スイープ信号から音楽信号に切替える。そして、音楽信号に対して、疑似サラウンド処理部２３、及び可変フィルタ部２５が処理を行う。疑似サラウンド処理部２３、及び可変フィルタ部２５の処理を経た音楽信号がスピーカ２９から出力される。
【００５４】
本実施の形態では、疑似サラウンド処理部２３が、音楽信号に頭部伝達特性を畳み込んだ後、可変フィルタ部１５が音楽信号にフィルタ処理を行っている。このようにすることで、スピーカ２９から出力されるサラウンド音場を再生することができる。さらに、測定環境等によって生じるピーク又はディップを補正するためのフィルタ係数が設定されている。したがって、適切に音場を再生することができる。
【００５５】
実施の形態３．
本実施の形態では、個人の伝達特性を測定し、その伝達特性に応じたフィルタを用いて頭外定位等の音場再生を実現するものである。
【００５６】
さらに、本実施の形態では、ハイレゾリューションデジタル音声信号（以下、ＨＲ信号）に対して、頭外定位処理を実行している。以下の説明において、９６ｋＨｚのサンプリング周波数で収音された信号をＨＲ信号、又はＨＲ信号として説明する。これに対して、４８ｋＨｚのサンプリング周波数で収音された信号（ローレゾリューション信号）を非ハイレゾリューション信号（非ＨＲ信号）とする。もちろん、サンプリング周波数は、上記の値に限定されるものではない。
【００５７】
４８ｋＨｚのサンプリング周波数の非ＨＲ信号の場合、ナイキスト周波数は２４ｋＨｚとなる。以下、２４ｋＨｚ未満の帯域を低周波数帯域とし、２４ｋＨｚ以上の帯域を高周波数帯域として説明する。高周波数帯域と低周波数帯域の境界を示す第１の周波数は、ナイキスト周波数２４ｋＨｚとなっている。もちろん、第１の周波数は２４ｋＨｚと異なる値でもよい。例えば、サンプリング周波数に応じて、第１の周波数を変えることができる。
【００５８】
まず、頭外定位処理を行うための頭外定位処理装置３０１の構成について、図９を用いて説明する。図９は、音場再生装置の一例である頭外定位処理装置３０１の構成を示すブロック図である。なお、頭外定位処理装置３０１は、実施の形態１における頭外定位処理部１３に相当する。
【００５９】
頭外定位処理装置３０１は、ヘッドホン３４３を装着する受聴者（ユーザ）Ｕに対して音場を再生する。そのため、頭外定位処理装置３０１は、ＬｃｈとＲｃｈのステレオ入力信号ＸＬ、ＸＲについて、音像定位処理を行う。ＬｃｈとＲｃｈのステレオ入力信号ＸＬ、ＸＲは、ＨＲ信号対応のオーディオ機器などから出力されるオーディオ再生信号である。なお、頭外定位処理装置３０１は、物理的に単一な装置に限られるものではなく、一部の処理が異なる装置で行われてもよい。例えば、一部の処理がパソコンなどにより行われ、残りの処理がヘッドホン３４３に内蔵されたＤＳＰ(Digital Signal Processor)などにより行われてもよい。
【００６０】
頭外定位処理装置３０１は、伝達特性処理部３１０と、フィルタ部３４１、フィルタ部３４２、及びヘッドホン３４３を備えている。
【００６１】
伝達特性処理部３１０は、伝達特性に応じたフィルタ処理を行う。伝達特性処理部３１０は、畳み込み演算部３１１〜３１２、３２１〜３２２、及び加算器３２４、３２５を備えている。畳み込み演算部３１１〜３１２、３２１〜３２２は、空間音響伝達特性を用いた畳み込み処理を行う。伝達特性処理部３１０には、ＨＲ信号に対応したオーディオ機器などからのステレオ入力信号ＸＬ、ＸＲが入力される。伝達特性処理部３１０には、空間音響伝達特性が設定されている。伝達特性処理部３１０は、各ｃｈのステレオ入力信号ＸＬ、ＸＲに対し、空間音響伝達特性を畳み込む。
【００６２】
空間音響伝達特性は、４つの伝達特性Ｈｌｓ、Ｈｌｏ、Ｈｒｏ、Ｈｒｓを有している。４つの伝達特性は、後述するフィルタ生成装置を用いて求めることができる。
【００６３】
そして、畳み込み演算部３１１は、Ｌｃｈのステレオ入力信号ＸＬに対して伝達特性Ｈｌｓを畳み込む。畳み込み演算部３１１は、畳み込み演算データを加算器３２４に出力する。畳み込み演算部３２１は、Ｒｃｈのステレオ入力信号ＸＲに対して伝達特性Ｈｒｏを畳み込む。畳み込み演算部３２１は、畳み込み演算データを加算器３２４に出力する。加算器３２４は２つの畳み込み演算データを加算して、フィルタ部３４１に出力する。
【００６４】
畳み込み演算部３１２は、Ｌｃｈのステレオ入力信号ＸＬに対して伝達特性Ｈｌｏを畳み込む。畳み込み演算部３１２は、畳み込み演算データを、加算器３２５に出力する。畳み込み演算部３２２は、Ｒｃｈのステレオ入力信号ＸＲに対して伝達特性Ｈｒｓを畳み込む。畳み込み演算部３２２は、畳み込み演算データを、加算器３２５に出力する。加算器３２５は２つの畳み込み演算データを加算して、フィルタ部３４２に出力する。このように、伝達特性処理部３１０は、伝達特性Ｈｌｓ、Ｈｌｏ、Ｈｒｏ、Ｈｒｓに応じたフィルタを用いて畳み込み処理を行う。
【００６５】
フィルタ部３４１、３４２には外耳道伝達特性をキャンセルする逆フィルタが設定されている。そして、伝達特性処理部３１０での処理が施された再生信号に逆フィルタを畳み込む。フィルタ部３４１で加算器３２４からのＬｃｈ信号に対して、逆フィルタを畳み込む。同様に、フィルタ部３４２は加算器３２５からのＲｃｈ信号に対して逆フィルタを畳み込む。逆フィルタは、ヘッドホン３４３を装着した場合に、ヘッドホンユニットからマイクまでの特性をキャンセルする。すなわち、外耳道入口にマイクを配置したときの、受聴者各人の外耳道入口とヘッドホンの再生ユニット間、あるいは鼓膜とヘッドホンの再生ユニット間の伝達特性をキャンセルする。
【００６６】
フィルタ部３４１は、補正されたＬｃｈ信号をヘッドホン３４３の左ユニット３４３Ｌに出力する。フィルタ部３４２は、補正されたＲｃｈ信号をヘッドホン３４３の右ユニット３４３Ｒに出力する。受聴者Ｕは、ヘッドホン３４３を装着している。ヘッドホン３４３は、Ｌｃｈ信号とＲｃｈ信号を受聴者Ｕに向けて出力する。これにより、受聴者Ｕの頭外に定位された音像を再生することができる。
【００６７】
実際の受聴者Ｕに応じて伝達特性Ｈｌｓ、Ｈｌｏ、Ｈｒｏ、Ｈｒｓを測定することが好ましい。例えば、受聴者Ｕの耳にマイクを装着して、インパルス応答測定を行うことで、受聴者Ｕの耳介形状に応じた伝達特性Ｈｌｓ、Ｈｌｏ、Ｈｒｏ、Ｈｒｓを取得することができる。このように、実際に受聴者Ｕの耳にマイクを装着して取得された伝達特性Ｈｌｓ、Ｈｌｏ、Ｈｒｏ、Ｈｒｓを用いることで、適切に頭外定位処理を行うことができる。
【００６８】
ここで、ＨＲ信号に頭外定位処理を行う場合について説明する。ＨＲ信号を取得するためには、ＨＲ信号に対応するマイクを準備する必要がある。通常、可聴帯域は２０Ｈｚ〜２０ｋＨｚといわれているが、ＨＲ信号に対応するためには、２０ｋＨｚ以上の高周波数の音声を収音できるＨＲ信号対応マイクを準備する必要がある。ＨＲ信号対応マイクは、高い周波数帯域に対しても感度を有するものであり、小型化には課題がある。
【００６９】
例えば、人間の外耳道入口の直径は７．５ｍｍ程度であるのに対して、現実的に入手可能なＨＲ信号対応マイクは、１．５ｃｍ程度である。人間の外耳道の入り口近傍に装着できる程度の小型のＨＲ信号対応マイクを通常、入手することができない。また、人間の外耳道入口に装着可能なサイズのＨＲ信号対応マイクが存在したとしても、非常に高価になると考えられる。このため、受聴者Ｕ毎にＨＲ信号対応マイクを装着するのは非現実的である。そこで、本実施の形態は、低周波数帯域においては、マイクが伝達特性の振幅値を測定し、高周波数帯域においては、フィルタ生成装置が伝達特性の振幅値を生成している。
【００７０】
以下、フィルタ生成装置３５０の構成について、図１０を用いて、説明する。フィルタ生成装置３５０は、左右のスピーカ５Ｌ、５Ｒと、左右のマイク２Ｌ、２Ｒと、処理部３５１と、を備えている。図１０に示すように、左右のスピーカ５Ｌ、５Ｒで出力されたインパルス音をマイク２Ｌ、２Ｒで測定することでインパルス応答が測定される。マイク２Ｌ、２Ｒで取得された収音信号は、処理部３５１に出力される。処理部３５１は、例えば、パーソナルコンピュータ等の演算処理装置である。処理部３５１は、収音信号に基づいて、フィルタを生成するフィルタ生成部として機能する。処理部３５１における処理の詳細については後述する。
【００７１】
図１０では、マイク２Ｌ、２Ｒによって測定された伝達特性を伝達特性Ｈ’ｌｓ、Ｈ’ｌｏ、Ｈ’ｒｏ、Ｈ’ｒｓとして示している。左スピーカ５Ｌと左マイク２Ｌとの間の伝達特性Ｈ’ｌｓ、左スピーカ５Ｌと右マイク２Ｒとの間の伝達特性Ｈ’ｌｏ、右スピーカ５Ｌと左マイク２Ｌとの間の伝達特性Ｈ’ｒｏ、右スピーカ５Ｒと右マイク２Ｒとの間の伝達特性Ｈ’ｒｓが測定される。すなわち、左スピーカ５Ｌから出力された測定信号を左マイク２Ｌが収音することで、伝達特性Ｈ’ｌｓが取得される。左スピーカ５Ｌから出力された測定信号を右マイク２Ｒが収音することで、伝達特性Ｈ’ｌｏが取得される。右スピーカ５Ｒから出力された測定信号を左マイク２Ｌが収音することで、伝達特性Ｈ’ｒｏが取得される。右スピーカ５Ｒから出力された測定信号を右マイク２Ｒが収音することで、伝達特性Ｈ’ｒｓが取得される。
【００７２】
上記のように、左右のスピーカ５Ｌ、５Ｒで出力されたインパルス音をマイク２Ｌ、２Ｒで測定することでインパルス応答が測定される。処理部３５１は、インパルス応答測定に基づいて取得した収音信号をメモリなどに記憶する。これにより、左スピーカ５Ｌと左マイク２Ｌとの間の伝達特性Ｈ’ｌｓ、左スピーカ５Ｌと右マイク２Ｒとの間の伝達特性Ｈ’ｌｏ、右スピーカ５Ｌと左マイク２Ｌとの間の伝達特性Ｈ’ｒｏ、右スピーカ５Ｒと右マイク２Ｒとの間の伝達特性Ｈ’ｒｓが測定される。すなわち、左スピーカ５Ｌから出力された測定信号を左マイク２Ｌが収音することで、伝達特性Ｈ’ｌｓが取得される。左スピーカ５Ｌから出力された測定信号を右マイク２Ｒが収音することで、伝達特性Ｈ’ｌｏが取得される。右スピーカ５Ｒから出力された測定信号を左マイク２Ｌが収音することで、伝達特性Ｈ’ｒｏが取得される。右スピーカ５Ｒから出力された測定信号を右マイク２Ｒが収音することで、伝達特性Ｈ’ｒｓが取得される。
【００７３】
上記のように、ＨＲ信号対応のマイクは小型化が困難であるため、マイク２Ｌ，２Ｒは、ＨＲ信号非対応のマイクとなっている。すなわち、マイク２Ｌ，２Ｒで取得される収音信号は、非ＨＲ信号となっている。このため、左右のスピーカ５Ｌ、５ＲについてもＨＲ信号非対応のスピーカとすることができる。収音信号のサンプリング周波数は、４８ｋＨｚとなっている。
【００７４】
収音信号は非ＨＲ信号であるため、伝達特性には、２４ｋＨｚ以上の高周波数帯域の成分が含まれていない。一方、実際の頭外定位処理のステレオ入力信号ＸＬ、ＸＲには高周波数帯域の成分が含まれている。したがって、本実施の形態では、処理部３５１が高周波数帯域の伝達特性を算出している。
【００７５】
図１１を用いて、高周波数帯域の伝達特性を算出する方法について説明する。図１１は、周波数領域における伝達特性Ｈｌｓを示すものである。横軸が周波数（Ｈｚ）、縦軸が伝達特性Ｈｌｓの振幅（ｄＢ）となっている。すなわち、図１１は、伝達特性Ｈｌｓの周波数振幅特性を示している。また、図１１では、測定した収音信号による伝達特性Ｈ’ｌｓが実線で示されている。時間領域の収音信号を離散フーリエ変換とすることで周波数領域の伝達特性Ｈ’ｌｓが求められる。
【００７６】
図１１では、第１の周波数（ナイキスト周波数＝２４ｋＨｚ）以上の周波数を含む帯域を高周波数帯域ＢＨとして示し、第１の周波数よりも低い周波数を含む帯域を低周波数帯域ＢＬとして示している。また、１４ｋＨｚを第２の周波数として、第２の周波数から第１の周波数までの帯域を補間帯域ＢＬ１として示す。第２の周波数は、ナイキスト周波数未満の周波数であればよく、１４ｋＨｚに限られるものではない。第２の周波数は、１０ｋＨｚ以上の周波数であることが好ましい。
【００７７】
ここで、第１の周波数（２４ｋＨｚ）における伝達特性Ｈ’ｌｓの振幅値を振幅値Ｙｂ［ｄＢ］とする。処理部３５１は、補間帯域ＢＬ１における伝達特性Ｈ’ｌｓのピークを求める。ここで、ピークの周波数、及び振幅値を周波数ｆｐ［Ｈｚ］、及び振幅値Ｙｐ［ｄＢ］とする。なお、補間帯域ＢＬ１に複数のピークが存在する場合、最も高い周波数のピークの周波数、及び振幅値が周波数ｆｐ、及び振幅値Ｙｐとして設定される。また、補間帯域ＢＬ１にピークが存在しない場合、処理部３５１は、第２の周波数とその振幅値を周波数ｆｐ、及び振幅値Ｙｐとして設定している。周波数ｆｐは１４ｋＨｚ以上、２４ｋＨｚ未満である。振幅値Ｙｐは第２の振幅値とも称する。
【００７８】
そして、０〜ｆｐの帯域については、処理部３５１は、伝達特性Ｈ’ｌｓの振幅値をそのまま伝達特性Ｈｌｓの振幅値とする。したがって、周波数ｆｐにおける伝達特性Ｈｌｓの振幅値は振幅値Ｙｐとなる。また、ｆｐ〜４８ｋＨｚの帯域については、処理部３５１は、振幅値Ｙｐに基づいて、振幅値を算出している。以下、ｆｐ〜４８ｋＨｚまでの帯域における振幅値の求め方について説明する。
【００７９】
ここでは、処理部３５１が、６通りの周波数振幅特性（１）〜（６）を算出している。周波数振幅特性（３）では、２４ｋＨｚにおける伝達特性Ｈｌｓの振幅値（第１の振幅値とも称する）が振幅値Ｙｂとなっている。高周波数帯域ＢＨにおける伝達特性Ｈｌｓの振幅値が振幅値Ｙｂで一定となっている。ｆｐ〜２４ｋＨｚの帯域における伝達特性Ｈｌｓの振幅値は、振幅値Ｙｐと振幅値Ｙｂとを補間することで求められている。すなわち、ｆｐ〜２４ｋＨｚにおける伝達特性Ｈｌｓの振幅値は、振幅値Ｙｐと第１の振幅値との間を補完するように算出されている。ここでは、線形補間等の公知の方法によって、ｆｐ〜２４ｋＨｚにおける伝達特性Ｈｌｓの振幅値を求めている。あるいは、ｆｐ〜２４ｋＨｚにおける伝達特性Ｈｌｓの振幅値は、測定した伝達特性Ｈ’ｌｓの振幅値であってもよい。
【００８０】
処理部３５１は、２４ｋＨｚにおける伝達特性Ｈｌｓの振幅値（第１の振幅値とも称する）を振幅値Ｙｂから変えることで、残りの周波数特性（１）、（２）、（４）〜（６）を求めている。例えば、周波数振幅特性（１）では第１の振幅値が（Ｙｂ−６）、周波数振幅特性（２）では第１の振幅値が（Ｙｂ−３）、周波数振幅特性（４）では第１の振幅値が（Ｙｂ＋３）、周波数振幅特性（５）では第１の振幅値が（Ｙｂ＋６）、周波数振幅特性（６）では第１の振幅値が（Ｙｂ＋９）となっている。第１の振幅値は、振幅値Ｙｐを越えない範囲で設定されることが好ましい。例えば、（Ｙｂ＋９）がＹｐを超える場合、周波数振幅特性（６）については求めなくてもよい。
【００８１】
そして、高周波数帯域ＢＨにおける伝達特性Ｈｌｓの振幅値が第１の振幅値で一定となっている。例えば、周波数振幅特性（１）では、高周波数帯域ＢＨにおける伝達特性Ｈｌｓの振幅値は、第１の振幅値（Ｙｂ−６）で一定となっている。周波数振幅特性（２）では、高周波数帯域ＢＨにおける伝達特性Ｈｌｓの振幅値は、第１の振幅値（Ｙｂ−３）で一定となっている。周波数振幅特性（４）、（５）、（６）についても高周波数帯域ＢＨにおける伝達特性Ｈｌｓの振幅値が、それぞれの第１の振幅値で一定となっている。
【００８２】
ｆｐ〜２４ｋＨｚの帯域における伝達特性Ｈｌｓの振幅値は、振幅値Ｙｐと第１の振幅値とを補間することで求められている。ここでは、線形補間等の公知の方法によって、ｆｐ〜２４ｋＨｚにおける伝達特性Ｈｌｓの振幅値を求めている。このように、３ｄＢ刻みで第１の振幅値を設定することで、周波数振幅特性（１）〜（６）が求められる。周波数振幅特性（１）〜（６）がそれぞれ伝達特性Ｈｌｓの候補となる。
【００８３】
上記したように、測定した伝達特性Ｈ’ｌｓに基づいて、伝達特性Ｈｌｓを求めることができる。また、他の伝達特性Ｈｌｏ，Ｈｒｓ、Ｈｒｏについても、伝達特性Ｈ’ｌｏ、Ｈ’ｒｏ、Ｈ’ｒｓに基づいて求めることができる。そして、伝達特性Ｈｌｓ、Ｈｌｏ，Ｈｒｓ、Ｈｒｏをそれぞれ逆離散フーリエ変換する。時間領域の４つの伝達特性Ｈｌｓ、Ｈｌｏ，Ｈｒｓ、Ｈｒｏを求めることで、フィルタが生成される。ここで、１つのフィルタには、時間領域における４つの伝達特性Ｈｌｓ、Ｈｌｏ，Ｈｒｓ、Ｈｒｏが含まれている。
【００８４】
なお、上記の説明では、伝達特性Ｈｌｓ、Ｈｌｏ，Ｈｒｓ、Ｈｒｏのそれぞれについて周波数振幅特性（１）〜（６）が求められる。すなわち、６通りのフィルタが生成される。そこで、聴感テストを行うことで、複数のフィルタの中から最適なフィルタ（伝達特性Ｈｌｓ、Ｈｌｏ，Ｈｒｓ、Ｈｒｏ）を求めている。聴感テストについては、後述する。聴感テストで求められた最適なフィルタ（伝達特性Ｈｌｓ、Ｈｌｏ，Ｈｒｓ、Ｈｒｏ）を図９に示す畳み込み演算部３１１〜３１２、３２１〜３２２にセットして、頭外定位処理を行う。
【００８５】
このように、処理部３５１は、フィルタの低周波数帯域ＢＬの振幅成分を収音信号の周波数振幅特性に応じて設定し、フィルタの高周波数帯域ＢＨの振幅成分を低周波数帯域の振幅成分につなぎ合わせるように生成している。このようにすることで、ＨＲ信号に対応するフィルタを生成することができる。低周波数帯域ＢＬについては、受聴者Ｕ本人の伝達特性を用いることができるため、適切に頭外定位処理することができる。また、伝達特性Ｈ’ｌｏ、Ｈ’ｒｏ、Ｈ’ｒｓの測定はＨＲ信号非対応のマイク２Ｌ、２Ｒ、及びスピーカ５Ｌ、５Ｒで行うことができる。ＨＲ信号非対応のマイク２Ｌ、２Ｒは、小型であり、左右の耳に装着可能である。よって、簡便かつ容易に測定を行うことができる。
【００８６】
処理部３５１は、第１の周波数（２４ｋＨｚ）における収音信号の周波数振幅特性の振幅値Ｙｂに基づいて、伝達特性の第１の周波数における第１の振幅値を設定している。これにより、適切に頭外定位処理することができる。また、複雑な処理を行わないため、簡便にフィルタを生成することができる。
【００８７】
処理部３５１は、第１の周波数における収音信号の周波数振幅特性の振幅値Ｙｂを補正した値を、第１の振幅値として設定している。上記の説明では、振幅値Ｙｂをレベル調整した値（例えば、Ｙｂ−３やＹｂ＋３等）が、第１の振幅値として設定されている。これにより、簡便な方法で、適切に頭外定位処理することができる。また、複雑な処理を行わないため、簡便にフィルタを生成することができる。
【００８８】
なお、本実施の形態では、Ｙｂを３ｄＢ間隔で変化させた値を第１の振幅値として設定したが、第１の振幅値の設定は、このような手法に限られるものではない。例えば、２ｄＢ間隔で第１の振幅値を設定してもよく、一定間隔以外の刻みで第１の振幅値を設定してもよい。また、第１の振幅値は、振幅値Ｙｐを越えない範囲で設定されている。これにより、適切に頭外定位処理することができる。
【００８９】
また、上記の説明では、高周波数帯域ＢＨにおける伝達特性Ｈｌｓの振幅値を一定値としたが、本実施形態はこれに限られるものではない。高周波数帯域ＢＨにおける伝達特性Ｈｌｓの振幅値を一定の傾きで漸減、又は漸増させてもよい。あるいは、予め設定されたパターンに応じて、高周波数帯域ＢＨにおける伝達特性Ｈｌｓの振幅値を設定してもよい。
【００９０】
また、実施の形態３では、周波数振幅特性（１）〜（６）を求めたが、求める周波数振幅特性の数は、１以上であればよい。周波数振幅特性の数が１つであれば、聴感テストは不要となる。周波数振幅特性の数が２以上であれば、後述する聴感テストを行う。
【００９１】
（変形例１）
実施の形態３の変形例１では、高周波数帯域の周波数振幅特性が、シミュレーションに応じて算出されている。なお、それ以外の構成、及び方法については、実施の形態３と同様であるため説明を省略する。
【００９２】
図１２は、ＨＲ信号対応のスピーカの周波数振幅特性を示す図である。図１２の横軸は周波数であり、縦軸は、音圧（ｄＢ）である。図１２は、受聴者Ｕの正面から１０度の角度にＨＲ信号対応スピーカを配置したときの周波数特性を示している。
【００９３】
図１３は、図１２の周波数特性から求めた伝達特性Ｈｌｓを示す図である。具体的には、図１３は、ＨＲ信号対応スピーカを上記の角度で設置した時の伝達特性Ｈｌｓをシミュレーションした結果である。このようなシミュレーションとしては、例えば、「個人に合わせて立体音響を再現するためのシミュレーション技術」に記載されている（http://www.nict.go.jp/publication/shuppan/kihou-journal/kihou-vol56no1_2/0403.pdf）。
【００９４】
上記の文献では、ＦＤＴＤ（Ｆｉｎｉｔｅ−Ｄｉｆｆｅｒｅｎｃｅ  Ｔｉｍｅ  Ｄｏｍａｉｎ）法を用いている。この方法では、例えば、所定の角度に配置されたスピーカに対するダミーヘッドの頭部伝達関数ＨＲＴＦを求めることができる。よって、スピーカから外耳道入口までの伝達特性Ｈｌｓによって求めることができる。スピーカの周波数特性データに基づくシミュレーションによって、高周波数帯域ＢＨの振幅成分が推定されている。ここで、シミュレーションによって求められた伝達特性を伝達特性Ｈ’’ｌｓとする。
【００９５】
実施の形態１と同様に、低周波数帯域ＢＬの振幅値は、測定した伝達特性Ｈ’ｌｓの振幅値とする。図１３に示すように、低周波数帯域ＢＬの伝達特性Ｈ’ｌｓと高周波数帯域ＢＨの伝達特性Ｈ’’ｌｓとをつなぎ合わせて、伝達特性Ｈｌｓを生成する。すなわち、処理部３５１は、高周波数帯域の振幅成分を低周波数帯域の振幅成分につなぎ合わせるように伝達特性Ｈｌｓを生成している。
【００９６】
（変形例２）
実施の形態３の変形例２では、高周波数帯域の周波数振幅特性は、ＨＲ信号対応マイクによって測定されている。なお、それ以外の構成、及び方法については、実施の形態３と同様であるため説明を省略する。
【００９７】
ＨＲ信号対応マイクは、上述したように非常に高価になると考えらえるため、受聴者Ｕ毎に装着して測定することが困難である。したがって、受聴者Ｕ以外の人又はダミーヘッドに装着したＨＲ信号対応マイクで、代表的な伝達特性を測定する。ＨＲ信号対応マイクを用いた伝達特性の測定は、図１０に示す構成と同様であり、受聴者Ｕ以外の人又はダミーヘッドにマイク２Ｌ、２Ｒが装着される。
【００９８】
受聴者Ｕ以外の人又はダミーヘッドに装着したＨＲ信号対応マイクで測定した伝達特性を伝達特性Ｈ’’ｌｓとする。高周波数帯域ＢＨについては、伝達特性Ｈ’’ｌｓを用いて、低周波数帯域ＢＬについては、ＨＲ信号非対応マイクで測定した伝達特性Ｈ’ｌｓを用いる。そして、変形例１と同様に、低周波数帯域ＢＬの伝達特性Ｈ’ｌｓと高周波数帯域ＢＨの伝達特性Ｈ’’ｌｓとをつなぎ合わせて、伝達特性Ｈｌｓを生成する。すなわち、処理部３５１は、高周波数帯域の振幅成分を低周波数帯域の振幅成分につなぎ合わせるように伝達特性Ｈｌｓを生成している。
【００９９】
変形例１、２では、低周波数帯域ＢＬの伝達特性Ｈ’ｌｓは、受聴者Ｕに応じた測定により取得されている。すなわち、図１０に示すように、受聴者Ｕに装着されたＨＲ信号非対応マイクで伝達特性Ｈ’ｌｓが測定される。よって、受聴者Ｕに応じたフィルタを用いることができるため、適切に頭外定位処理を実施することができる。
【０１００】
変形例１では、高周波数帯域ＢＨの伝達特性Ｈ’’ｌｓはシミュレーション結果である。変形例２では、高周波数帯域ＢＨの伝達特性Ｈ’’ｌｓは受聴者Ｕ以外の人又はダミーヘッドに装着したＨＲ信号対応マイクで測定されている。非常に高価なＨＲ信号対応マイクによる測定を受聴者Ｕ毎に行う必要がない。よって、ＨＲ信号に対応した伝達特性を簡便に求めることができる。
【０１０１】
変形例１、２では、図１４のように、第１の周波数（２４ｋＨｚ）の近傍で伝達特性の振幅値が大きく異なることがある。このような場合、適切に頭外定位処理することができないおそれがある。したがって、変形例１、２においては、高周波数帯域ＢＨの伝達特性Ｈ’’ｌｓをレベル調整することが好ましい（図１４の矢印参照）。ここでは、高周波数帯域ＢＨのＤＣ成分を加減することで、振幅特性を上下に平行移動している。
【０１０２】
受聴者Ｕに応じて測定された低周波数帯域ＢＬの伝達特性Ｈ’ｌｓに合わせるように、高周波数帯域ＢＨの伝達特性Ｈ’’ｌｓが調整される。このようにすることで、適切に頭外定位処理することができる。このように、高周波数帯域ＢＨの振幅成分を低周波数帯域ＢＬの振幅成分につなぎ合わせるように、高周波数帯域ＢＨの振幅成分がレベル調整されている。
【０１０３】
あるいは、２４ｋＨｚの近傍に振幅値をスムージング処理する帯域を設けてもよい。このスムージング処理について、図１５を用いて説明する。図１５では、高周波数帯域ＢＨの低周波数側に配置された帯域を帯域Ｂ２としている。高周波数帯域ＢＨに含まれる所定の周波数を周波数ｆａとする。なお、周波数ｆａは２４ｋＨｚよりも高い周波数である。帯域Ｂ２は、２４ｋＨｚ以上で周波数ｆａ以下の範囲となっている。帯域Ｂ２において、振幅値をスムージング処理する。
【０１０４】
あるいは、帯域Ｂ２の代わりに帯域Ｂ３において、スムージング処理を行うことができる。帯域Ｂ３は、低周波数帯域ＢＬの高周波数側に配置された帯域である。例えば、低周波数帯域ＢＬに含まれる所定の周波数を周波数ｆｂとする。周波数ｆｂは２４ｋＨｚよりも低い周波数である。帯域Ｂ２は、周波数ｆａ以上で２４ｋＨｚ以下の範囲となっている。帯域Ｂ３において、振幅値をスムージング処理する。
【０１０５】
あるいは、帯域Ｂ２又は帯域Ｂ３の代わりに、２４ｋＨｚを跨ぐ帯域Ｂ４において、スムージング処理を行ってもよい。帯域Ｂ４は周波数ｆｂ〜周波数ｆａの範囲となっている。帯域Ｂ４において、振幅値をスムージング処理する。スムージング処理には、移動平均や加重移動平均を用いることができる。スムージング処理によって、低周波数帯域と高周波数帯域とが滑らかに連続する、より適切なフィルタを生成することが可能となる。
【０１０６】
このように、変形例１、２では、低周波数帯域ＢＬの伝達特性Ｈ’ｌｓと高周波数帯域ＢＨの伝達特性Ｈ’’ｌｓとをつなぎ合わせて、伝達特性Ｈｌｓを生成している。同様にして、伝達特性Ｈｌｏ、Ｈｒｏ、Ｈｒｓを生成する。そして、４つの伝達特性Ｈｌｓ、Ｈｌｏ、Ｈｒｏ、Ｈｒｓを１セットとして、実施の形態１と同様に、逆離散フーリエ変換を実行する。これにより、時間領域における４つの伝達特性Ｈｌｓ、Ｈｌｏ、Ｈｒｏ、Ｈｒｓを１セットとして含むフィルタを生成することができる。
【０１０７】
（聴感テスト）
複数の試聴用フィルタから最適なフィルタを決定するための聴感テストについて、説明する。聴感テストを行うことで、受聴者Ｕの好みに応じた音質で頭外定位再生することができる。
【０１０８】
ここで、複数の試聴用フィルタは、実施の形態３、及びその変形例１、２のいずれかの１つ以上の方法によって生成されている。例えば、実施の形態３では（１）〜（６）の周波数振幅特性が求められているため、６つのフィルタが生成される。また、変形例１では、シミュレーション手法を変えたり、シミュレーションに用いるＨＲ信号対応スピーカの周波数特性を変えたりすることで、複数のフィルタを生成することができる。変形例２では、ＨＲ信号対応マイクを装着する人やダミーヘッドを変えることで、複数のフィルタを生成することができる。これらのフィルタを試聴用フィルタとする。よって、複数の試聴用フィルタのそれぞれは、実施の形態１、変形例１、及び変形例２のいずれかの手法により求められたものである。それぞれの試聴用フィルタは４つの伝達特性Ｈｌｓ、Ｈｌｏ、Ｈｒｏ、Ｈｒｓを含んでいる。
【０１０９】
聴感テストを行うための、頭外定位処理装置５００について、図１６を用いて説明する。頭外定位処理装置５００は、調整信号発生部５２１と、音楽信号再生部５１２と、頭外定位処理部３０２と、フィルタ選択部５２２と、設定記憶部５１７と、入力部５１８と、ヘッドホン３４３とを備えている。
【０１１０】
入力部５１８、及び音楽信号再生部５１２は、それぞれ図１の入力部１８、及び音楽信号再生部１２と同様であるため、詳細な説明を省略する。ヘッドホン３４３は、図１０のヘッドホン３４３、及び図１のヘッドホン１９と同様である。ただし、音楽信号再生部５１２、及びヘッドホン３４３は、ＨＲ信号に対応している。すなわち、音楽信号再生部５１２は、９６ｋＨｚのサンプリング周波数で収音されたＨＲ信号を音楽信号として再生する。ヘッドホン５１９は、ＨＲ信号を受聴者Ｕに向けて出力する。
【０１１１】
調整信号発生部５２１は、最適なフィルタの決定を行うための調整信号を頭外定位処理部３０２に出力する。すなわち、調整信号発生部５２１は、９６ｋＨｚのサンプリング周波数で収音されたＨＲ信号を調整信号として出力する。また、調整信号はＬｃｈとＲｃｈとを含むステレオ信号である。調整信号としては、倍音が豊富な弦楽器等の音源を用いることが好ましい。具体的には、チェロ、ガムラン（インドネシアの民族音楽）等の演奏音を９６ｋＨｚのサンプリング周波数で収音することで、調整信号が生成される。
【０１１２】
頭外定位処理部３０２は、図９で示した伝達特性処理部３１０と、フィルタ部３４１、フィルタ部３４２を備えている。ステレオの調整信号が図９のステレオ入力信号Ｌｃｈ、Ｒｃｈとなる。そして、頭外定位処理部３０２は、頭外定位処理された調整信号をヘッドホン５１９に出力する。ヘッドホン５１９は、頭外定位処理された調整信号を受聴者Ｕに向けて出力する。これにより、聴感テストが行われる。
【０１１３】
受聴者Ｕは、頭外定位処理された調整信号の聴感に応じて、入力部５１８を操作する。すなわち、受聴者Ｕは試聴用フィルタによって適切な頭外定位処理がなされているか否かを入力する。入力部５１８による入力は、設定記憶部５１７に記憶される。フィルタ選択部５２２には、複数の試聴用フィルタが格納されている。１つのフィルタに対する聴感の入力が完了すると、フィルタ選択部５２２は、フィルタを切り替える。すなわち、フィルタ選択部５２２は、試聴用フィルタを順番に切り替えて、頭外定位処理部３０２に出力する。このようにして、格納されている試聴用フィルタの数だけ聴感テストを行う。
【０１１４】
受聴者Ｕは入力部５１８を操作することで、最も優れている聴感を示す最適なフィルタを入力する。そして、設定記憶部５１７が最適なフィルタを記憶する。最適なフィルタが音楽再生用フィルタとして設定される。音楽信号の再生時には、聴感テストで決定された最適なフィルタを用いて、頭外定位処理部３０２が頭外定位処理を行う。受聴者Ｕは、ＨＲ信号対応の調整信号を用いて聴感上で比較し、好みのフィルタを最適なフィルタとして選択する。そして、ＨＲ信号対応の音楽信号に対して最適なフィルタを用いて頭外定位処理を行う。このようにすることで適切に頭外定位処理することができる。
【０１１５】
なお、受聴者Ｕが入力部５１８を操作することで、聴感テストと音楽再生とを切り替えることができる。受聴者Ｕが聴感テストを行う旨の指示を入力すると、調整信号発生部が調整信号を発生する。聴感テスト終了後、音楽再生を行う旨の指示を受聴者Ｕが入力すると、音楽信号再生部５１２が音楽信号を再生する。試聴用フィルタが１セットのみの場合、聴感テストは実施しなくてもよい。
【０１１６】
なお、フィルタ部３４１、３４２には設定された逆フィルタについても、高周波数帯域における振幅成分を有している必要がある。しかしながら、外耳道伝達特性をキャンセルする逆フィルタの高周波数帯域の振幅成分については頭外定位処理に対する影響が小さい。例えば、１４ｋＨｚ以上の帯域については、ヘッドホン特性をキャンセルしなくても、頭外定位の効果がある。よって、特開２０１５−１２６２６９号公報に示す方法により、高周波数帯域の振幅成分を設定することができる。すなわち、特開２０１５−１２６２６９号公報に示す高域境界周波数とナイキスト周波数の振幅を高周波数帯域の振幅とすればよい。
【０１１７】
実施の形態４．
実施の形態４では異なる方法で聴感テストを行っている。以下、図１７を用いて、聴感テストを行うための頭外定位処理装置について説明する。図１７では、主として、聴感テストを行う処理のみについて説明する。すなわち、以下の説明では、複数の試聴用フィルタから最適なフィルタを決定するための処理について説明している。最適なフィルタを用いた頭外定位処理については、実施の形態３と同様であるため説明を省略する。例えば、入力部、ヘッドホン、設定記憶部については図示を省略している。
【０１１８】
頭外定位処理装置４００は、調整信号発生部４２１と、ＬＰＦ（ローパスフィルタ）４１１と、ダウンサンプリング部４１２と、頭外定位処理部４０１、アップサンプリング部４１３と、ＬＰＦ４１４と、ＨＰＦ（ハイパスフィルタ）４３１と、可変増幅器４３２と加算器４４０とを備えている。
【０１１９】
調整信号発生部４２１は、調整信号発生部５２１と同様に、最適なフィルタの決定を行うための調整信号を発生する。すなわち、調整信号発生部４２１は、９６ｋＨｚのサンプリング周波数で収音されたＨＲ信号を調整信号として出力する。調整信号のサンプリング周波数は９６ｋＨｚとなっている。調整信号発生部４２１で発生された調整信号は、ＬＰＦ４１１とＨＰＦ４３１に入力される。
【０１２０】
ＬＰＦ４１１は、カットオフ周波数が２４ｋＨｚのローパスフィルタである。よって、ＬＰＦ４１１は、低周波数帯域の成分を通過させて、高周波数帯域の成分を遮断する。ダウンサンプリング部４１２は、ＬＰＦ４１１を通過した調整信号についてダウンサンプリングを行う。これにより、調整信号のサンプリング周波数は４８ｋＨｚとなる。ダウンサンプリング部４１２は、ダウンサンプリングした調整信号を頭外定位処理部４０１に出力する。
【０１２１】
頭外定位処理部４０１は、図１６に示す頭外定位処理部３０２に対応するものである。よって、頭外定位処理部４０１は、図９で示した伝達特性処理部３１０と、フィルタ部３４１、フィルタ部３４２を備えている。頭外定位処理部４０１は、ダウンサンプリングされた調整信号に対して頭外定位処理を行う。調整信号のサンプリング周波数は４８ｋＨｚにダウンサンプリングされているため、頭外定位処理部４０１は、伝達特性Ｈ’ｌｓ、Ｈ’ｌｏ、Ｈ’ｒｏ、Ｈ’ｒｓを用いることができる。なお、伝達特性Ｈ’ｌｓ、Ｈ’ｌｏ、Ｈ’ｒｏ、Ｈ’ｒｓは図１０に示す構成で測定されたものであり、ＨＲ信号非対応のマイクで測定されている。
【０１２２】
次に、アップサンプリング部４１３は、頭外定位処理された調整信号をアップサンプリングする。これにより、調整信号のサンプリング周波数が９６ｋＨｚとなる。ＬＰＦ４１４は、カットオフ周波数が２４ｋＨｚのローパスフィルタである。よって、ＬＰＦ４１４は、低周波数帯域の成分を通過させて、高周波数帯域の成分を遮断する。ＬＰＦ４１４を通過した調整信号は、加算器４４０に入力される。
【０１２３】
また、調整信号発生部４２１で発生された調整信号は、ＨＰＦ４３１に入力される。ＨＰＦ４３１は、カットオフ周波数が２４ｋＨｚのハイパスフィルタである。よって、ＨＰＦ４３１は、高周波数帯域の成分を通過させて、低周波数帯域の成分を遮断する。ＨＰＦ４３１を通過した調整信号は、可変増幅器４３２で増幅されて、加算器４４０に入力される。加算器４４０はＬＰＦ４１４からの調整信号と、可変増幅器４３２からの調整信号とを加算して、ヘッドホンに出力する。すなわち、低周波数帯域の成分と高周波数帯域の成分が加算器４４０で合成される。
【０１２４】
このように、ＬＰＦ４１２を通過した低周波数帯域の成分についてのみ、フィルタを用いた頭外定位処理を行う。すなわち、ＨＰＦ４３１を通過した高周波数帯域の成分については、フィルタを用いた頭外定位処理を行っていない。このように処理された高周波数帯域の成分と低周波数帯域の成分が加算器４４０で合成され、ヘッドホンから出力される。
【０１２５】
ここで、可変増幅器４３２の増幅率を変えることで聴感テストを行うことができる。例えば、可変増幅器４３２の増幅率を段階的又は連続的に増加させていく。そして、受聴者Ｕが最も聴感が優れているタイミングで入力を行う。これにより、最適な増幅率を決定することができる。
【０１２６】
図１８は、聴感テストにおけるＨＰＦ４３１に周波数特性を模式的に示す図である。図１８の横軸は周波数、縦軸はゲインである。また、図１８では、ＬＰＦ４１１、４１４の周波数特性を示している。可変増幅器４３２の増幅率を段階的に変えることで、ＨＰＦ４３１の周波数特性が図１８に示すようになる。換言すると、ＨＰＦ４３１のゲインを調整することができる。ＬＰＦ４１１、４１４のゲインに対して、ＨＰＦ４３１のゲインを相対的に増加又は減少させることができる。
【０１２７】
したがって、高周波数帯域の成分を変えて聴感テストを行うことができる。高周波数帯域の成分を低周波数帯域の成分に合わせてレベル調整することができる。換言すると、高周波数帯域の成分を低周波数帯域の成分につなぎ合わせることができる。これにより、受聴者Ｕが、複数の試聴用フィルタから最適なフィルタを決定することができる。さらに、ＨＲ信号非対応マイクでの測定結果に基づいて、最適なフィルタを生成することができる。
【０１２８】
（変形例３）
変形例３では、実施の形態４の処理と異なる処理によって、聴感テストを実行している。図１９は、変形例３にかかる頭外定位処理装置４００の構成を示すブロック図である。変形例３では、フィルタ記憶部４０２は伝達特性Ｈ’ｌｓ、Ｈ’ｌｏ、Ｈ’ｒｏ、Ｈ’ｒｓをアップサンプリングしたフィルタを記憶している。頭外定位処理部４０１はアップサンプリングしたフィルタ係数を用いて頭外定位処理している。なお、上述した実施の形態の内容と同様の内容については適宜説明を省略する。
【０１２９】
調整信号発生部４２１が、調整信号を頭外定位処理部４０１、及びＨＰＦ４３１に出力する。調整信号はＨＲ信号であるため、サンプリング周波数は、９６ｋＨｚとなっている。頭外定位処理部４０１は調整信号を頭外定位処理する。ここで、頭外定位処理された調整信号は、加算器４４０に出力される。
【０１３０】
実施の形態４と同様に、ＨＰＦ４３１は、カットオフ周波数が２４ｋＨｚのハイパスフィルタである。よって、ＨＰＦ４３１は、高周波数帯域の成分を通過させて、低周波数帯域の成分を遮断する。ＨＰＦ４３１を通過した調整信号は、可変増幅器４３２で増幅されて、加算器４４０に入力される。加算器４４０はＬＰＦ４１４からの調整信号と、可変増幅器４３２からの調整信号とを加算して、ヘッドホンに出力する。すなわち、低周波数帯域の成分と高周波数帯域の成分が加算器４４０で合成される。
【０１３１】
このように、アップサンプリングされたフィルタ係数を用いて、頭外定位処理装部４０１は、頭外定位処理を行う。ＨＰＦ４３１を通過した高周波数帯域の成分については、フィルタを用いた頭外定位処理を行っていない。このように処理された全帯域の成分と高周波数帯域の成分が加算器４４０で合成され、ヘッドホンから出力される。
【０１３２】
ここで、可変増幅器４３２の増幅率を変えることで聴感テストを行う事ができる。例えば、可変増幅器４３２の増幅率を段階的又は連続的に増加させていく。そして、受聴者Ｕが最も聴感が優れているタイミングで入力を行う。これにより、最適な増幅率を決定することができる。これにより、実施の形態４と同様の効果を得ることができる。
【０１３３】
なお、実施の形態３、４では、高周波数帯域ＢＨと低周波数帯域ＢＬとの境界となる周波数（第１の周波数）を２４ｋＨｚとしたが、ナイキスト周波数を越えない周波数であればよい。また、実施の形態３、４の２つの方法を用いて、一人の受聴者Ｕが聴感テストを行って、最適なフィルタを決定してもよい。また、実施の形態３、４では、ヘッドホンを用いて頭外定位処理したが、実施の形態２と同様にスピーカを用いて音像再生を行ってもよい。
【０１３４】
上記信号処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３５】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【０１３６】
１１、２１、５１２  スイープ信号発生部
１２、２２  音楽信号再生部
１３  頭外定位処理部
１４、２４  ＡＧＣ処理部
１５、２５  可変フィルタ部(フィルタ部)
１６、２６  フィルタ係数算出部
１７、２７、５１７  設定記憶部
１８、２８、５１８  入力部
１９  ヘッドホン(出力部)
２３  疑似サラウンド処理部
２９  スピーカ
１００、２００  音場再生装置
３０１  頭外定位処理装置
３４３  ヘッドホン
５２１  調整信号発生部
５２２  フィルタ選択部
【図１】
2018050222.tif 000003
【図２】
2018050222.tif 000004
【図３】
2018050222.tif 000005
【図４】
2018050222.tif 000006
【図５】
2018050222.tif 000007
【図６】
2018050222.tif 000008
【図７】
2018050222.tif 000009
【図８】
2018050222.tif 000010
【図９】
2018050222.tif 000011
【図１０】
2018050222.tif 000012
【図１１】
2018050222.tif 000013
【図１２】
2018050222.tif 000014
【図１３】
2018050222.tif 000015
【図１４】
2018050222.tif 000016
【図１５】
2018050222.tif 000017
【図１６】
2018050222.tif 000018
【図１７】
2018050222.tif 000019
【図１８】
2018050222.tif 000020
【図１９】
2018050222.tif 000021